(57)【要約】【課題】  シナリオに従うシーンを撮影できるだけの電池残量が残っているか否かを容易に確認できるようにする。【解決手段】  撮像手段と、それぞれユーザへのアドバイス情報を含む複数のシーンを含むシナリオ情報を記憶する記憶手段と、前記シナリオ情報の複数のシーンから選択されたシーンのアドバイス情報を表示する表示手段と、前記撮像手段により得られた動画信号を記録媒体に記録すると共に、前記動画信号の記録時に選択されているシナリオ情報とシーンを識別するための付加情報を前記記録媒体に記録する記録手段と、バッテリからの電力を供給する電源供給手段と、前記シナリオ情報に基づいて必要なバッテリ残量を検出し、前記必要なバッテリ残量に係る情報を前記表示手段により表示させる制御手段とを備える。【選択図】  図１
2013021656.tif 000002
【特許請求の範囲】
【請求項１】
撮像手段と、
それぞれユーザへのアドバイス情報を含む複数のシーンを含むシナリオ情報を記憶する記憶手段と、
前記シナリオ情報の複数のシーンから選択されたシーンのアドバイス情報を表示する表示手段と、
前記撮像手段により得られた動画信号を記録媒体に記録すると共に、前記動画信号の記録時に選択されているシナリオ情報とシーンを識別するための付加情報を前記記録媒体に記録する記録手段と、
バッテリからの電力を供給する電源供給手段と、
前記シナリオ情報に基づいて必要なバッテリ残量を検出し、前記必要なバッテリ残量に係る情報を前記表示手段により表示させる制御手段とを備える撮像装置。
【請求項２】
前記制御手段は、前記シナリオ記憶の複数のシーンのうちの少なくとも一部のシーンのアドバイス情報に基づいて、前記必要なバッテリ残量を検出することを特徴とする請求項１に記載の撮像装置。
【請求項３】
前記制御手段は、前記シナリオ記憶の全てのシーンのアドバイス情報に基づいて、前記必要なバッテリ残量を検出することを特徴とする請求項１に記載の撮像装置。
【請求項４】
前記制御手段は、前記シナリオ記憶の複数のシーンのうち、前記動画信号の記録時に選択されていたシーン以外のシーンのアドバイス情報に基づいて、前記必要なバッテリ残量を検出することを特徴とする請求項１に記載の撮像装置。
【請求項５】
前記アドバイス情報は、前記動画信号の撮影時間に係る情報を含み、前記制御手段は、前記撮影時間に係る情報に基づいて前記必要なバッテリ残量を検出することを特徴とする請求項１に記載の撮像装置。
【請求項６】
前記バッテリの残量を検出するバッテリ残量検出手段を備え、
前記制御手段は、前記バッテリ残量検出手段により検出されたバッテリの残量に係る情報と、前記必要なバッテリ残量に係る情報とを、同一の画面に表示させることを特徴とする請求項１から５の何れか１項に記載の撮像装置。
【発明の詳細な説明】
【技術分野】
【０００１】
本発明は撮像装置に関する。
【背景技術】
【０００２】
近年、家庭用デジタルビデオカメラ等の普及に伴い、一般のユーザが動画像を撮影する機会が増えている。さらに、動画像を撮影するときに用いるための、撮影シーン毎に撮影時のカメラワークや撮影時間、撮影すべきイベント等の情報を保持する撮影用シナリオというものが用意されている。この撮影用シナリオを用いて撮影を行うことで、動画像の撮影方法に習熟している者でなくても簡単に映像コンテンツを作成できる、という手法がすでに提案されている（例えば、特許文献１参照）。
【先行技術文献】
【特許文献】
【０００３】
【特許文献１】特開２００４−１６５８０５号公報
【発明の概要】
【発明が解決しようとする課題】
【０００４】
しかしながら、従来技術では、撮影用シナリオを用いてシーンを撮影中に、バッテリ残容量やメディア残容量がなくなった場合には、シーンの撮影を中断せざるを得ず、所望の映像コンテンツを完成することが出来ないという問題がある。
【０００５】
そこで、本発明は、撮影用シナリオを用いてシーンを撮影する場合に、シナリオに従うシーンを撮影できるだけの電池残量が残っているか否かを容易に確認できるようにすることを目的とする。
【課題を解決するための手段】
【０００６】
撮像手段と、それぞれユーザへのアドバイス情報を含む複数のシーンを含むシナリオ情報を記憶する記憶手段と、前記シナリオ情報の複数のシーンから選択されたシーンのアドバイス情報を表示する表示手段と、前記撮像手段により得られた動画信号を記録媒体に記録すると共に、前記動画信号の記録時に選択されているシナリオ情報とシーンを識別するための付加情報を前記記録媒体に記録する記録手段と、バッテリからの電力を供給する電源供給手段と、前記シナリオ情報に基づいて必要なバッテリ残量を検出し、前記必要なバッテリ残量に係る情報を前記表示手段により表示させる制御手段とを備える。
【発明の効果】
【０００７】
本発明によれば、撮影用シナリオを用いてシーンを撮影する場合に、シナリオに従うシーンを撮影できるだけの電池残量が残っているか否かを容易に確認できる。
【図面の簡単な説明】
【０００８】
【図１】本発明の実施形態に関する撮像装置および記録装置の構成を示すブロック図である。
【図２】本発明の実施形態に関する記憶部の説明図である。
【図３】本発明の実施形態に関する撮影用シナリオの説明図である。
【図４】実施形態１の全体の流れを示すフローチャートである。
【図５】残容量算出処理の流れを示すフローチャートである。
【図６】シーン構成情報抽出処理の流れを示すフローチャートである。
【図７】シーン構成情報抽出処理時のユーザーへのアドバイス情報とシーン構成情報の説明図である。
【図８】予定使用容量算出処理時に参照するシーン構成情報の説明図である。
【図９】予定使用容量算出処理の流れを示すフローチャートである。
【図１０】算出結果表示処理の流れを示すフローチャートである。
【図１１】算出結果表示処理の表示例の説明図である。
【図１２】実施形態２の全体の流れを示すフローチャートである。
【図１３】容量比較処理の流れを示すフローチャートである。
【図１４】比較結果表示処理の流れを示すフローチャートである。
【図１５】比較結果表示処理の表示例の説明図である。
【図１６】実施形態３の全体の流れを示すフローチャートである。
【図１７】撮影可否判定処理の流れを示すフローチャートである。
【図１８】撮影対象決定処理の流れを示すフローチャートである。
【図１９】撮影可否シーンの確認画面の説明図である。
【図２０】撮影対象シーンの選択画面の説明図である。
【図２１】撮影対象シーンの決定後画面の説明図である。
【発明を実施するための形態】
【０００９】
以下に、本発明の好ましい実施の形態を、添付の図面に基づいて詳細に説明する。図１は、本発明の実施形態にかかわる撮像装置１００の構成を示すブロック図である。撮像装置１００において、制御部１０１は、撮像装置１００全般を制御する。制御部１０１は、バッテリ残容量算出部１０１ａ、メディア管理部１０１ｂ、メディア残容量算出部１０１ｃ、シーン構成情報抽出部１０１ｄ、バッテリ予定使用容量算出部１０１ｅ、メディア予定使用容量算出部１０１ｆを含む。制御部１０１は更に、表示データ作成部１０１ｇ、撮影用シナリオ変更部１０１ｋを含む。
【００１０】
記憶部１０７は、信号記録部１０８、撮影用シナリオ記録部１０９を有し、各種情報を記憶する。図２に記憶部１０７に記憶する各種情報を示す。後に、各種情報を算出および取得する処理に合わせて、図２の説明を行う。レンズ部１０２およびＣＣＤ部１０３により動画像信号を生成する。さらに信号処理部１０４は撮影された動画信号に圧縮処理などを施し、記録するのに適した形式に変換して記憶部１０７に送る。記憶部１０７では、撮影された動画信号と各種の付加情報とを記録媒体に記録する。なお、本実施形態では、撮影開始から撮影停止までの一連のシーンを一つの動画ファイルとして管理する。さらに、撮影用シナリオ記憶部１０９に撮影用シナリオを保持しており、これを用いてシーンの撮影を行う。
【００１１】
バッテリ残容量算出部１０１ａは、バッテリ管理部１１１を介してバッテリ部１１１から取得したバッテリ容量から、バッテリ残容量を算出する。バッテリ１１１は、リチウムイオン電池などの二次電池である。電源供給部１１３は、バッテリ１１２からの電力を各部に供給する。
【００１２】
メディア管理部１０１ｂは記憶部１０７における記録媒体の残量などを管理する。メディア残容量算出部１０１ｃは、メディア管理部１０１ｂを介して記憶部１０７から取得したメディア容量から、メディア残容量を算出する。シーン構成情報抽出部１０１ｄは、撮影用シナリオ記録部１０９から、バッテリ使用容量に影響を与える情報や、メディア使用容量に影響を与える情報を抽出する。
【００１３】
バッテリ予定使用容量算出部１０１ｅは、シーン構成情報より撮影用シナリオに指定されたシーンをシナリオに従って全て撮影するために必要なバッテリ容量としてバッテリ予定使用容量を算出する。メディア予定使用容量算出部１０１ｆは、シーン構成情報より撮影用シナリオに指定されたシーンを全て撮影するために必要なメディア容量としてメディア予定使用容量を算出する。バッテリ予定使用容量、バッテリ残容量、メディア予定使用容量、メディア残容量をもとに、表示データ作成部１０１ｇにて表示制御部１０６に通知する表示データを作成する。表示制御部１０６は、信号処理部１０４および表示データ作成部１０１ｇより出力されたデータを合成し、表示部１０５に表示する。
【００１４】
操作部１１０、ボタンやタッチパネルなどで構成される。ユーザは操作部１１０を操作することにより、各種の指示を出力する。操作部１１０からの指示により、撮影用シナリオ変更部１０１ｋは撮影用シナリオの変更を行い、結果を撮影用シナリオ記憶部１０９へ保存する。
【００１５】
撮像装置１００は、記憶部１０９に１つまたは複数の撮影用シナリオを記憶している。撮影用シナリオは、１つまたは複数のシーンから構成されている。さらに、シーンはユーザへのアドバイス情報を保持している。
【００１６】
図３に撮影用シナリオ３００の例を示す。領域３０１は撮影用シナリオ３００の番号と名称を示している。シナリオ毎に異なる番号が割り当てられており、このシナリオ番号により、各シナリオを識別することができる。また、名称により、ユーザが撮影したいシナリオを認識することが出来る。
【００１７】
領域３０２から領域３０３は、撮影用シナリオ３００を構成するシーンの番号と名称を示している。図３では、シナリオ３００は領域３０２のシーン０１から領域３０３のシーン２０までの２０シーンで構成されている。シーン番号により各シーンを識別することが出来る。また、名称により、ユーザが撮影したいシーンを認識することが出来る。
【００１８】
領域３０４から領域３０８は、シーン０１における、ユーザへのアドバイス情報を示している。領域３０４は対応するシーンの番号と名称を示す情報である。領域３０５は当該シーン撮影時のユーザへのアドバイス情報を示すテキスト情報である。シーンを撮影するにあたり、撮影対象のどのような様子を撮影すれば良いか、どのような構成で撮影すれば良いか、等の情報を表示することにより完成度の高いシーンを撮影することが出来る。領域３０６は当該シーンを撮影する上での撮影目安時間を示す情報である。領域３０７は当該シーン撮影時の静止画撮影枚数を示す情報である。領域３０８は推奨設定の情報である。屋内モードや室内モード、さらにライトの有無等の情報をユーザに呈示することにより、完成度の高いシーンを撮影することが出来る。
【００１９】
通常の撮影を行う場合、記録待機状態において、撮影された動画が表示部１０５に表示される。この状態でユーザが操作部１１０を操作して、記録開始を指示すると、制御部１０１は、信号記録部１０８に対して記録の開始を指示する。信号記録部１０８は、信号処理部１０４からの動画信号を記録媒体に記録する。操作部１１０より記録停止の指示があると、制御部１０１は信号記録部１０８に対し、記録停止を指示する。信号記録部１０８は、記録停止の指示に応じて、信号処理部１０４からの動画信号の記録を停止する。
【００２０】
次に、シナリオ撮影モードについて説明する。ユーザは操作部１１０を操作して、シナリオ記憶部１０９に記憶された複数のシナリオの中から所望のシナリオを選択することができる。即ち、制御部１０１は、操作部１１０よりシナリオ一覧表示の指示を受けると、シナリオ記憶部１０９に記憶された各シナリオ情報を読み出し、各シナリオのシナリオ名の一覧を表示部１０５に表示させる。ユーザは操作部１１０を操作し、表示されたシナリオから所望のシナリオを選択する。制御部１０１は、シナリオが選択されると、選択されたシナリオのシナリオ番号を記憶する。そして、選択されたシナリオ情報をシナリオ記憶部１０９より読み出す。そして、選択されたシナリオに含まれる複数のシーンの一覧を表示部１０５に表示させる。ユーザは、表示部１０５に表示されたシーン一覧より、所望のシーンを選択する。制御部１０１は、ユーザがシーンを選択すると、選択されたシーンのシーン番号を記憶する。そして、選択されたシーンのアドバイスと撮影推奨時間、並びに静止画の推奨撮影枚数の情報などを表示部１０５に表示させ、撮影待機状態とする。
【００２１】
この様に、撮影待機状態では、ユーザが選択したシーンのアドバイスが表示部１０５に表示される。そして、ユーザが操作部１１０を操作して、記録開始を指示すると、制御部１０１は、信号記録部１０８に対して記録の開始を指示する。信号記録部１０８は、信号処理部１０４からの動画信号を記録媒体に記録する。操作部１１０より記録停止の指示があると、制御部１０１は信号記録部１０８に対し、記録停止を指示する。信号記録部１０８は、記録停止の指示に応じて、信号処理部１０４からの動画信号の記録を停止する。そして、制御部１０１は、撮影前に選択されたシナリオ番号とシーン番号を識別するための付加情報を、今回記録した動画信号と対応づけて記録媒体に記録するよう、信号記録部１０８に指示する。信号処理回路１０８は、撮影前に選択されたシナリオ番号とシーン番号を識別するための付加情報を、今回記録した動画信号と対応づけて記録媒体に記録する。
【００２２】
この様に、一つのシーンの撮影が終了すると、制御部１０１は、選択されているシナリオにおける次のシーンを自動的に選択する。そして、次のシーンのアドバイス情報を表示部１０５に表示させる。
【００２３】
図４は撮像装置１００におけるシナリオ撮影に伴うバッテリ残量と記録残量の情報表示処理を示すフローチャートである。ユーザが操作部１１０を操作して、シナリオ撮影を行うために、シナリオ撮影モードを設定したことに応じて図４の処理を実行する。Ｓ４０１では、バッテリ残容量およびメディア残容量の算出を行う。バッテリ残容量算出部１０１ａは、バッテリ管理部１１１を介してバッテリ１１２から取得したバッテリ容量からバッテリ残容量を算出する。バッテリ残容量から撮像装置１００の動作可能時間を検出することができる。メディア残容量算出部１０１ｃは、メディア管理部１０１ｂを介して記憶部１０７から取得したメディア容量から記録媒体の残容量（記録可能容量）を算出する。記録媒体の残容量に基づいてメディアの記録可能時間を検出することができる。このバッテリ残容量および記録媒体の残容量を算出するための具体的な処理については後に図５を用いて詳細に説明する。
【００２４】
Ｓ４０２では、シーン構成情報の抽出を行う。シーン構成情報抽出部１０１ｄはシーン毎に保持しているユーザへのアドバイス情報をもとに、バッテリ使用容量やメディア使用容量に影響を与えるシーン構成情報を抽出する。シーン構成情報を抽出するための具体的な処理については後に図６を用いて詳細に説明する。
【００２５】
Ｓ４０３では、バッテリ予定使用容量およびメディア予定使用容量の算出を行う。バッテリ予定使用容量とは、ユーザが当該撮影用シナリオを用いて動画像を撮影するために必要とするバッテリ容量である。メディア予定使用容量とは、ユーザが当該撮影用シナリオを用いて動画像を撮影するために必要とする記録媒体の容量である。このバッテリ予定使用容量およびメディア予定使用容量を算出するための具体的な処理については後に図９を用いて詳細に説明する。
【００２６】
Ｓ４０４では、Ｓ４０１で算出したバッテリ残容量およびメディア残容量と、Ｓ４０３で算出したバッテリ予定使用容量およびメディア予定使用容量の算出結果表示処理を行う。算出結果表示処理の具体的な処理については後に図１０を用いて詳細に説明する。
【００２７】
次に残容量算出処理の詳細を説明する。図５は残容量算出処理を示すフローチャートである。この残容量算出処理は、図４のＳ４０１で実行される。Ｓ５０１では、バッテリ管理部１１１を介してバッテリ１１２のバッテリ容量を取得し、バッテリ残容量を算出する。Ｓ５０２では、算出したバッテリ残容量を記憶部１０７の領域２０７へ保存する。Ｓ５０３では、メディア管理部１０１ｂを介して記憶部１０７のメディア容量を取得する。Ｓ５０４では、算出したメディア残容量を記憶部１０７の領域２０８へ保存する。
【００２８】
次に、シーン構成情報抽出処理の詳細を説明する。図６はシーン構成情報抽出処理を説明するためのフローチャートである。このシーン構成情報抽出処理は図４のＳ４０２で実行される。図７はシーンの保持するユーザへのアドバイス情報と、そこから抽出されるシーン構成情報を示したものである。まず、Ｓ６０１からＳ６０７を当該撮影用シナリオを構成する全シーン分実行する。Ｓ６０１では、シーン番号７０１を取得し、Ｓ６０２からＳ６０６で取得する情報を格納するインデックスとして使用する。Ｓ６０２では、撮影時間７０３を、シーン構成情報の撮影時間７０７へ設定する。Ｓ６０３では、推奨設定７０５からビットレートを求め、シーン構成情報のビットレート７０８へ設定する。推奨設定にビットレートの指定がない場合は、あらかじめ決められたビットレートを設定してもよい。Ｓ６０４では、静止画枚数７０４を、シーン構成情報の静止画枚数７０９へ設定する。Ｓ６０５では、推奨設定７０５からフラッシュ率を求め、シーン構成情報のフラッシュ率７１０ａへ設定する。Ｓ６０６では、推奨設定７０５からズーム回数を求め、シーン構成情報のズーム回数７１１へ設定する。
【００２９】
次に予定使用容量算出処理の詳細を説明する。図８は、予定使用容量算出処理を行う際に参照するシーン構成情報を示すものである。撮影用シナリオを構成する１つ１つのシーンにシーン構成情報を保持している。シーン構成情報は、シーン番号８０１や撮影対象情報８０２、撮影状況８０３、撮影可否８０４、撮影時間８０５、ビットレート８０６、静止画枚数８０７、フラッシュ率８０８、ズーム回数８０９を含む。これらのシーン構成情報のうち、撮影時間８０５、ビットレート８０６、静止画枚数８０７、フラッシュ率８０８、ズーム回数８０９はシーン構成情報抽出処理にて求めている。このシーン構成情報をもとにバッテリ予定使用容量およびメディア予定使用容量を算出する。また、シーン構成情報は記憶部１０７の領域２０４に保存される。
【００３０】
図９は予定使用容量算出処理を説明するためのフローチャートである。この予定使用容量算出処理は図４のＳ４０３で実行される。撮影用シナリオの全シーンのうち、シーン構成情報から撮影対象８０２が対象かつ撮影状況８０３が未撮影であるシーンを判定し、該当シーンの撮影時間８０５、ビットレート８０６、静止画枚数８０７、フラッシュ率８０８、ズーム回数８０９から、バッテリ予定使用容量およびメディア予定使用容量を算出し、記憶部１０７の領域２０５および領域２０６へ保存する。
【００３１】
Ｓ９０１では、バッテリ予定使用容量およびメディア予定使用容量を算出するためのＳ９０２からＳ９０５５を全撮影シーン数分繰り返す制御を行う。Ｓ９０２では、記憶部１０７の領域２０４から当該シーンのシーン構成情報を取得する。Ｓ９０３では、Ｓ９０２で取得したシーン構成情報から、撮影対象８０２が対象かつ撮影状況８０３が未撮影であるシーンについてバッテリ予定使用容量およびメディア予定使用容量算出処理を行うよう分岐処理を行う。Ｓ９０４では、記憶部１０７の領域２０２に記憶されているバッテリ使用容量情報と、Ｓ９０２で取得したシーン構成情報から、バッテリ予定使用容量を算出する。バッテリ予定使用容量は以下の式（１）から算出する。
バッテリ予定使用容量＝撮影時間×単位時間あたりのバッテリ使用容量＋フラッシュ回数×フラッシュ一回あたりのバッテリ使用容量＋ズーム回数×ズーム一回あたりのバッテリ使用容量・・・（１）
【００３２】
Ｓ９０５では、記憶部１０７の領域２０３に記憶されているメディア使用容量情報と、Ｓ９０２で取得したシーン構成情報から、メディア予定使用容量を算出する。メディア予定使用容量は以下の式（２）から算出する。
メディア予定使用容量＝撮影時間×単位時間あたりのメディア使用容量・・・（２）
【００３３】
Ｓ９０６では、Ｓ９０４でシーン毎に算出したバッテリ予定使用容量を合計したものを記憶部１０７の領域２０５へ保存する。Ｓ９０７では、Ｓ９０５でシーン毎に算出したメディア予定使用容量を合計したものを記憶部１０７の領域２０６へ保存する。
【００３４】
次に算出結果表示処理の詳細を説明する。図１０は算出結果表示処理を説明するためのフローチャートである。この算出結果表示処理は図４のＳ４０４で実行されるものである。
【００３５】
Ｓ１００１では、記憶部１０７の領域２０７から、Ｓ４０１で保存したバッテリ残容量を取得し、表示部１０５に表示する。Ｓ１００２では、１０７の領域２０８から、Ｓ４０１で保存したメディア残容量を取得し、表示部１０５に表示する。Ｓ１００３では、記憶部１０７の領域２０５から、Ｓ４０１で保存したバッテリ予定使用容量を取得し、表示部１０５に表示する。Ｓ１００４では、記憶部１０７の領域２０６から、Ｓ４０１で保存したメディア予定使用容量を取得し、表示部１０５に表示する。
【００３６】
バッテリ予定使用容量やメディア予定使用容量を表示することにより、ユーザーが当該撮影用シナリオを撮影するために必要なバッテリ容量やメディア容量を知ることが出来る。さらに、バッテリ残容量やメディア残容量を同時に表示することにより、現在のバッテリ容量やメディア容量で当該撮影用シナリオを完成することができるか判断することが出来る。もしバッテリ残容量やメディア残容量が足りない場合は替えのバッテリやメディアを持っていく等の対応をとることが出来る。
【００３７】
図１１は表示部１０５への表示例を示す図である。まず、領域１１１１にシナリオ番号とシナリオ名称を表示し、この情報がどの撮影用シナリオに関するものかを判別することが出来る。領域１１１２にバッテリ残容量が９０分、領域１１１３にバッテリ予定使用容量が６０分、領域１１１４にメディア残容量が１５分、領域１１１５にメディア予定使用容量が６０分であることを示している。ユーザは現在のバッテリ容量で、シナリオ１に指定された残りのシーンを全て撮影することが出来るが、メディア容量が足りないということが容易に理解できる。
【００３８】
この様にシナリオ撮影モードに設定すると、制御部１０１は、撮影待機状態において、記憶部１０７に記憶されたシナリオ情報の各シーンの情報から、次に撮影するシーンを検出する。そして、検出したシーンのアドバイスを表示部１０５に表示する。ユーザはこのアドバイスを見ながら撮影を行う。制御部１０１は、一つのシーンが撮影されると、撮影済みの情報をシーン構成情報２０４に保存する。そして、自動的に次のシーンを検出し、そのアドバイスを表示する。また、シナリオ撮影モードにて撮影された各シーンに対し、対応するシナリオ番号と、シーン番号の情報が付加されて記憶部１０７により記録される。そして、再生時には、同じシナリオ番号が付加された動画をシーン番号の順に再生すれば、シナリオのアドバイスに従った作品として再生される。
【００３９】
なお、シナリオ撮影モードに切り替えた時だけでなく、撮影待機状態において、ユーザから指示があった場合図４の処理を実行し、シナリオ撮影に必要なバッテリ残量とメディア残量の情報を表示するようにしてもよい。
【００４０】
第２の実施形態について説明する。図１２はシナリオ撮影に伴うバッテリ残量と記録残量の情報表示処理を示すフローチャートである。ユーザが操作部１１０を操作して、シナリオ撮影を行うために、シナリオ撮影モードを設定したことに応じて図４の処理を実行する。
【００４１】
Ｓ１２０１では、図４のＳ４０１と同様、バッテリ残容量およびメディア残容量の取得を行う。Ｓ１２０２では、図４のＳ４０２と同様に、シーン構成情報の抽出を行う。Ｓ１２０３では、図４のＳ４０３と同様にバッテリ予定使用容量およびメディア予定使用容量の算出を行う。Ｓ１２０４では、Ｓ１２０１で取得したバッテリ残容量およびメディア残容量と、Ｓ１２０３で算出したバッテリ予定使用容量およびメディア予定使用容量との比較を行う。容量比較処理の具体的な処理については後に図１３を用いて詳細に説明する。Ｓ１２０５では、Ｓ１２０４の比較結果を表示する。比較結果表示処理の具体的な処理については後に図１４を用いて詳細に説明する。
【００４２】
次に容量比較処理の詳細を説明する。図１３は容量比較処理を示すフローチャートである。バッテリ予定使用容量とバッテリ残容量の比較を行い、比較結果として、バッテリ予定使用容量がバッテリ残容量より多いまたは少ないという情報と、バッテリ予定使用容量がバッテリ残容量に対して占める割合の情報を保存する。さらに、メディア予定使用容量とメディア残容量の比較を行い、比較結果として、メディア予定使用容量がメディア残容量より多いまたは少ないという情報と、メディア予定使用容量がメディア残容量に対して占める割合の情報を保存する。
【００４３】
Ｓ１３０１では、記憶部１０７の領域２０５から、Ｓ１２０３で保存したバッテリ予定使用容量を取得する。Ｓ１３０２では、記憶部１０７の領域２０７から、処理Ｓ１２０１で保存したバッテリ残容量を取得する。Ｓ１３０３では、バッテリ予定使用容量とバッテリ残容量を比較する。そして、比較結果として、バッテリ予定使用容量がバッテリ残容量より多いまたは少ないという情報と、バッテリ予定使用容量がバッテリ残容量に対して占める割合の情報を記憶部１０７の領域２０９へ保存する。
【００４４】
処理Ｓ１３０４では、記憶部１０７の領域２０６から、Ｓ１２０３で保存したメディア予定使用容量を取得する。Ｓ１３０５では、記憶部１０７の領域２０８から、Ｓ１２０１で保存したメディア残容量を取得する。Ｓ１３０６では、メディア予定使用容量とメディア残容量を比較する。そして、比較結果として、メディア予定使用容量がメディア残容量より多いまたは少ないという情報と、メディア予定使用容量がメディア残容量に対して占める割合の情報を記憶部１０７の領域２１０へ保存する。
【００４５】
次に比較結果表示処理の詳細を説明する。図１４は比較結果表示処理を説明するためのフローチャートである。
【００４６】
Ｓ１４０１では、記憶部１０７の領域２０９から、Ｓ１２０４で保存したバッテリ比較結果を取得する。Ｓ１４０２では、記憶部１０７の領域２１０から、Ｓ１２０４で保存したメディア比較結果を取得する。Ｓ１４０３では、Ｓ１４０１で取得したバッテリ比較結果を表示部１０５へ表示する。Ｓ１４０４では、Ｓ１４０２で取得したメディア比較結果を表示部１０５に表示する。
【００４７】
比較結果をユーザへ通知することにより、撮影用シナリオを用いてシーンを撮影している時に、現在のバッテリ容量やメディア容量の余裕の有無を知ることが出来る。もし、余裕がある場合は、ユーザがこのままのペースで撮影を続けてもバッテリ容量やメディア容量に余裕があるため追加のシーン撮影を試みることが出来る。余裕がない場合は、このままのペースで撮影を続けた場合にバッテリ容量やメディア容量が途中で無くなり、シーンの撮影を中断せざるを得ないため、バッテリ容量やメディア容量を節約しながら撮影を行うよう対応することが可能となる。
【００４８】
図１５は表示部１０５の表示例を示すものである。図１５（ａ）は当該撮影用シナリオを用いてシーンの撮影を行うのに十分なバッテリ容量およびメディア容量がある状態での表示例である。図１５（ｂ）は当該撮影用シナリオに沿ったシーンの撮影を行うのに必要なバッテリ容量およびメディア容量がない状態の表示例である。
【００４９】
領域１５０１にバッテリ残容量を表示し、領域１５０２にバッテリ予定使用容量とバッテリ残容量の比較結果を表示する。また、領域１５０３にメディア残容量を表示し、領域１５０４にメディア予定使用容量とメディア残容量の比較結果を表示する。
【００５０】
図１５（ａ）では、現時点でのメディア残容量で９０分間撮影を行うことが可能であることを示している。また、バッテリ残容量がバッテリ予定使用容量より多く、バッテリ残容量がバッテリ予定使用容量に対し１００％以上を占め、シナリオに沿った撮影を行うのに十分なバッテリ容量が残っていることを示している。また、現時点でのメディア残容量で本撮像装置での撮影が６０分間可能であることを示している。また、メディア残容量がメディア残容量より多く、メディア残容量がメディア予定使用容量に対し１００％以上を占め、撮影用シナリオに沿った撮影を行うのに十分なバッテリ容量が残っていることを示している。
【００５１】
一方、図１５（ｂ）では、現時点でのメディア残容量で４５分間撮影が可能であることを示している。また、バッテリ残容量がバッテリ予定使用容量より少なく、バッテリ残容量がバッテリ予定使用容量に対し７５％を占め、撮影用シナリオに指定された残りのシーンの撮影を行うのに十分なバッテリ容量が残っていないことを示している。また、現時点でのメディア残容量での撮影が１５分間可能であることを示す。また、メディア残容量がメディア残容量より少なく、メディア残容量がメディア予定使用容量に対し２５％を占め、シナリオに指定された残りのシーンを全て撮影するのに十分なメディア容量が残っていないことを示している。
【００５２】
なお、シナリオ撮影モードへの切り替え時だけでなく、シナリオ撮影モードでの撮影中に図４の処理を繰り返し実行し、図１５の様な比較結果の情報を表示するようにしてもよい。
【００５３】
次に、第３の実施形態について説明する。図１６はシナリオ撮影に伴うバッテリ残量と記録残量の情報表示処理を示すフローチャートである。
【００５４】
Ｓ１６０１では、Ｓ４０１と同様にバッテリ残容量およびメディア残容量を算出する。Ｓ１６０２では、Ｓ４０２と同様にバッテリ予定使用容量およびメディア予定使用容量を算出する。Ｓ１６０３では、Ｓ１６０１で算出したバッテリ残容量およびメディア残容量と、Ｓ１６０２で算出したバッテリ予定使用容量およびメディア予定使用容量から、シーンの撮影可否を判定する。撮影可否の判定処理については後述する。
【００５５】
Ｓ１６０４では、Ｓ１６０３で求めた撮影可否情報に基づき撮影対象を決定する。撮影対象の決定処理については後述する。Ｓ１６０５では、Ｓ１６０３からＳ１６０４の処理を再度行うかの判定を行う。ここでは、ユーザが操作部１１０を操作することにより選択する。
【００５６】
次に撮影可否の判定処理を説明する。図１７は撮影可否の判定処理を説明するためのフローチャートである。Ｓ１７０１では、記憶部１０７の領域２０７からバッテリ残容量を取得する。Ｓ１７０２では、記憶部１０７の領域２０８からメディア残容量を取得する。Ｓ１７０３では、記憶部１０７の領域２０５からバッテリ予定使用容量を取得する。Ｓ１７０４では、記憶部１０７の領域２０６からメディア予定使用容量を取得する。そして、全シーンのうち、一定条件に当てはまるシーンの撮影可否を保存する。以下、Ｓ１７０５からＳ１７０９まではシーン毎に処理を行う。Ｓ１７０５では、記憶部１０７の領域２０４から当該シーンのシーン構成情報を取得する。Ｓ１７０６では、一定条件の判定を行う。ここでは、シーン構成情報の撮影対象８０２が対象かつ撮影状況８０３が未撮影であるシーンであるか否かを判定し、該当するシーンにはＳ１７０７からＳ１７０９の処理を行う。
【００５７】
Ｓ１７０７では、Ｓ１７０１およびＳ１７０３で取得したバッテリ予定使用容量とバッテリ残容量から、当該シーンが撮影可能であるかを判定する。バッテリ予定使用容量がバッテリ残容量より少ない場合、もしくは同等の場合には撮影可能と判定し、バッテリ予定使用容量がバッテリ残容量より多い場合は撮影不可能と判定する。
【００５８】
Ｓ１７０８では、Ｓ１７０２およびＳ１７０４で取得したメディア予定使用容量とメディア残容量から、当該シーンが撮影可能であるかを判定する。メディア予定使用容量がメディア残容量より少ない場合、もしくは同等には撮影可能と判定し、メディア予定使用容量がメディア残容量より多い場合は撮影不可能と判定する。
【００５９】
Ｓ１７０９では、Ｓ１７０７およびＳ１７０８で判定した撮影可否情報を記憶部１０７の領域２０４へ保存する。ただし、Ｓ１７０７とＳ１７０８のどちらかで撮影不可能と判定した場合は、他方の処理で撮影可能と判定されても、撮影可否情報としては撮影不可能を保存する。これは、シーンの撮影にはバッテリ容量とメディア容量のいずれも撮影可能である必要があるためである。
【００６０】
次に撮影対象の決定処理を説明する。図１８は撮影対象の決定処理を説明するためのフローチャートである。Ｓ１８０１では、記憶部１０７の領域２０４から撮影可否情報を取得する。Ｓ１８０２では、Ｓ１８０１で取得した撮影可否情報を表示部１０５へ表示する。
【００６１】
図１９に表示例を示す。領域１９０１から領域１９０６には、各シーンに対応する撮影可否を示す情報および撮影状況を示す情報が表示されている。“済”は撮影状況情報が撮影済みであることを示している。図１９では、シーン０１が撮影済みであることがわかる。また、“○”は未撮影のシーンであり、かつ撮影可能なシーンであることを示している。図１９では、シーン０２からシーン１８までが未撮影で撮影可能なシーンであることがわかる。“×”は未撮影のシーンであり、かつ撮影不可能なシーンであることを示している。図１９では、シーン１９とシーン２０が未撮影で撮影可能でないことがわかる。
【００６２】
ユーザは図１９の画面を確認することで、シナリオに指定されたシーンのうち、どのシーンが未撮影であることが容易にわかる。更に、未撮影のシーンのうち、現在のバッテリ残量と記録媒体の残量から、どのシーンが撮影できないかを容易に認識することができる。図１９では、シーン１９とシーン２０が撮影出来ないことが分かる。本実施形態では、この様に、未撮影のシーンを全て撮影できない場合に、ユーザが、撮影を行わないシーンを選択できるようにした。具体的には、領域１９０７に撮影対象シーンの変更を行うかの問い合わせを表示する。
【００６３】
Ｓ１８０３では、領域１９０７に表示された問い合わせに対し、ユーザが変更を指示したか否かを判別する。撮影シーンの変更が指示された場合、撮影対象シーンの選択画面を表示する。図２０に撮影対象シーンの選択画面の表示例を示す。ユーザがシーン０３を撮影対象外のシーンとして選択した場合、領域２００１にマーク（レ）を表示する。他にもユーザが撮影対象外のシーンを選択した場合には、対応する領域にマークを表示する。領域２００２に選択したシーンを撮影対象から外すための問い合わせを表示する。
【００６４】
Ｓ１８０４では、ユーザが撮影対象外シーンを決定したか否かを判別する。撮影対象外のシーンが決定されると、Ｓ１８０５において、ユーザが決定した撮影対象外シーンの情報を取得する。Ｓ１８０６では、撮影対象外シーンのシーン構成情報の撮影対象情報に対象外である旨の情報を格納する。そして、撮影対象シーンの変更後の状態を示す画面を表示部１０５に表示する。
【００６５】
図２１に撮影対象シーンの変更後の状態を示す画面を示す。ユーザが撮影対象外として選択したシーン０３に対応する領域２１０１に、撮影対象外を意味するマーク（━）が表示されている。また、これに伴い今まで撮影不可能であったシーン１９が撮影可能となり、対応する領域２１０２に撮影可能を意味するマーク（○）が表示される。これによりユーザは更新後の撮影可能なシーンを認識することが出来る。このとき、領域２１０３に、再度、撮影対象シーンの変更を行うか問い合わせる表示を行うことにより、再度、Ｓ１８０３からＳ１８０４の処理を行うか否かを選択することが可能である。
【００６６】
この様に、各実施形態によれば、撮像手段と、それぞれユーザへのアドバイス情報を含む複数のシーンを含むシナリオ情報を記憶する記憶手段とを備える。また、シナリオ情報の複数のシーンから選択されたシーンのアドバイス情報を表示する表示手段を備える。また、撮像手段により得られた動画信号を記録媒体に記録すると共に、動画信号の記録時に選択されているシナリオ情報とシーンを識別するための付加情報を記録媒体に記録する記録手段を備える。また、バッテリからの電力を供給する電源供給手段と、シナリオ情報に基づいて必要なバッテリ残量を検出し、必要なバッテリ残量に係る情報を表示手段により表示させる制御手段とを備える。また、シナリオ記憶の複数のシーンのうちの少なくとも一部のシーンのアドバイス情報に基づいて、必要なバッテリ残量を検出する。また、シナリオ記憶の全てのシーンのアドバイス情報に基づいて、必要なバッテリ残量を検出する。また、シナリオ記憶の複数のシーンのうち、動画の記録時に選択されていたシーン以外のシーンのアドバイス情報に基づいて、必要なバッテリ残量を検出する。また、アドバイス情報は、動画信号の撮影時間に係る情報を含み、撮影時間に係る情報に基づいて必要なバッテリ残量を検出する。また、バッテリの残量を検出するバッテリ残量検出手段を備え、バッテリ残量検出手段により検出されたバッテリの残量に係る情報と、必要なバッテリ残量に係る情報とを、同一の画面に表示させる。
【図１】
2013021656.tif 000003
【図２】
2013021656.tif 000004
【図３】
2013021656.tif 000005
【図４】
2013021656.tif 000006
【図５】
2013021656.tif 000007
【図６】
2013021656.tif 000008
【図７】
2013021656.tif 000009
【図８】
2013021656.tif 000010
【図９】
2013021656.tif 000011
【図１０】
2013021656.tif 000012
【図１１】
2013021656.tif 000013
【図１２】
2013021656.tif 000014
【図１３】
2013021656.tif 000015
【図１４】
2013021656.tif 000016
【図１５】
2013021656.tif 000017
【図１６】
2013021656.tif 000018
【図１７】
2013021656.tif 000019
【図１８】
2013021656.tif 000020
【図１９】
2013021656.tif 000021
【図２０】
2013021656.tif 000022
【図２１】
2013021656.tif 000023